(57)【特許請求の範囲】
【請求項１】
グランドに立設する、上端開放状のパイプ製のポスト本体と、ポスト本体の上端に着脱自在に嵌め込まれるギヤボックスとからなり、
ホスト本体の壁面には、ネットロープを通すための切欠と、巻締工具を挿込むための孔とが形成され、
ギヤボックスの内部には、巻込みドラムがドラム軸に支持されて設けられると共に、ウォームギヤがウオーム軸に支持されて設けられ、また、ドラム軸とウォーム軸とはギヤボックスの壁面の軸孔に抜挿自在に取付けられると共に、各軸の端部外面はポスト本体の壁面で抜け出さないように押えられ、
巻込みドラムには、ウォームギヤと螺合するドラムギヤと、ロープ端を引掛けるフックとが設けられ、かつ、ウォームギヤの端面には巻締工具を結合させる為の孔が設けられているネットポスト。
【請求項２】
ウォームギヤの片端はウォーム軸で支えられ、他端は、ウォームギヤの端面に形成された突出ボス部がギヤボックスの壁面の孔に回動自在に嵌め込まれ、かつ、突出ボス部の端面には、巻締工具結合用の角孔が形成されている請求項１記載のネットポスト。
【請求項３】
ギヤボックスの上端に、ロープ案内用の滑車が滑車軸によって回動自在に取付けられ、かつ、滑車軸の端部はギヤボックスの軸孔で抜挿自在に支持されている請求項１記載のネットポスト。
【請求項４】
グランドに立設する反対側のポスト本体の上端には、上蓋が取付けられ、上蓋には、ロープを案内する弧面と、ロープを通す孔とが設けられ、かつ、ポスト本体の内壁にはロープ端を引掛けるフックが取付けられている請求項１記載のネットポスト。
【発明の詳細な説明】
【技術分野】
【０００１】
この発明は、テニス用やバレーボール用などのネットを張設支持する為のネットポストの改良に関する。
【背景技術】
【０００２】
テニス用などのネットは、コートの両側に立設されたネットポストの間に張設支持される。この為、ネットポストには、ネットロープの両端を連結支持すると共に、ロープを緊張させるための装置の付設が不可欠である。この装置は、通常、ウォーム歯車機構などからなるが、これらは一般にネットポストの外部に取付けられるのがほとんどである。しかし、このような外部取付では、競技者との接触のおそれがあって、危険である上に、外観体裁が悪いという欠点がある。この為、これらの装置をポストの内部に組み込んだものも、従来、提案されている（例えば、特許文献１参照）。
【０００３】
【特許文献１】特開平０７−３１３６４５号公報
【発明の開示】
【発明が解決しようとする課題】
【０００４】
ところが、従来のネットロープ緊張装置を内部に組込んだ型のネットポストは、構造が複雑で、ネットロープ端の連結作業が面倒である他、故障時などの修理やメンテナンスなどに問題があり、かつ、製造コストが高いという欠点がある。
【０００５】
本発明は、このような点に鑑み、ネットロープ緊張設置を、ネットポスト内に組込んだ形式にした、構造が簡単なネットポストを提供するにある。また、本発明は、分解組立を簡単にできるようにして、故障時などの部品の取替え作業が簡単なネットポストを提供するにある。
【課題を解決するための手段】
【０００６】
本発明のネットポストの技術的手段は、グランドに立設する、上端開放状のパイプ製のポスト本体と、ポスト本体の上端に着脱自在に嵌め込まれるギヤボックスとからなり、ポスト本体の壁面には、ネットロープを通すための切欠と、巻締工具を挿込むための孔とが形成され、ギヤボックスの内部には、巻込みドラムがドラム軸に支持されて設けられると共に、ウォームギヤがウォーム軸に支持されて設けられ、また、ドラム軸とウォーム軸とはギヤボックスの壁面の軸孔に抜挿自在に取付けられると共に、各軸の端部外面はポスト本体の壁面で抜け出さないように押えられ、巻込みドラムには、ウォームギヤと螺合するドラムギヤと、ロープ端を引掛けるフックとが、設けられ、かつ、ウォームギヤの端面には巻締工具を結合させる為の孔が設けられていることにある。
【０００７】
また、ウォームギヤの片端はウォーム軸で支えられ、他端は、ウォームギヤの端面に形成された突出ボス部がギヤボックスの壁面の孔に回動自在に嵌め込まれ、かつ、突出ボス部の端面には、巻締工具結合用の角孔が形成されているようにしてもよい。更に、ギヤボックスの上端に、ロープ案内用の滑車が滑車軸によって回動自在に取付けられ、かつ、滑車軸の端部はギヤボックスの軸孔で抜挿自在に支持されているようにしてもよい。また、グランドに立設する反対側のポスト本体の上端には、上蓋が取付けられ、上蓋には、ロープを案内する弧面と、ロープを通す孔とが設けられ、かつ、ポスト本体の内壁にはロープ端を引掛けるフックが取付けられているようにしてもよい。
【発明の効果】
【０００８】
本発明のネットポストは、外部に何等の突出物もないので、競技者が接触しても、怪我をすることがない。更に、ネットロープの端を連結する際も、作業は外部から簡単に行うことができる。また、装置の分解や組立が簡単であるから、部品が損傷した時の交換作業を容易に行える他、構造が簡単で製造コストが低い。
【０００９】
請求項２のものでは、ウォームギヤへの回転力の付与を簡単に行えるので、ネットの張設や取外し作業が迅速にできる。
【００１０】
請求項３のものでは、ネットポストの上端に滑車があって、ネットロープの案内がスムースである上に、簡単に分解や組立ができる。
【００１１】
請求項４のものでは、反対側のネットポストが、ネットロープ端を連結支持するだけの簡単な構造であり、かつ、ロープ端の連結を外部から簡単に行えるので、作業性に優れている。
【発明を実施するための最良の形態】
【００１２】
本発明のネットポストを実施するための最良の形態を、図面の実施例に基づいて説明する。ポスト本体１は、テニスなどのコートの両側のグランド面に立設固定される。このポスト本体１は、グランドに対して抜挿自在形成にして、自由に着脱できるようにしてもよい。図１、図２、図３に示されるように、実施例のポスト本体１は角パイプ製で、上端は開放形状である。このポスト本体１の上端近くの前面壁には、ネットロープＡを通すための切欠２が形成されている。更に、ポスト本体１の前面壁には、巻締工具４を結合させるための孔３が形成されている。
【００１３】
このポスト本体１の上端には、ギヤボックス１０が嵌着固定される。ギヤボックス１０の外形状は、ポスト本体１に嵌合できるように、断面４角筒である。このギヤボックス１０の上端には上蓋１１が付いていて、この上蓋１１の縁は僅かに突出していて、ポスト本体１と嵌合させた時のストッパーになる。更に、上蓋１１には、ネットロープＡを通すための切欠１２が形成されている。この切欠１２の位置にはネットロープＡを案内するための滑車１３が取付けられている。この滑車１３は滑車軸１４で回動自在に支持されているが、この軸１４はギヤボックス１０の壁面の軸孔に単に嵌合させているだけで、抜き挿しは自由であるから、滑車の分解や組立が簡単にできる。なお、この軸１４は、ギヤボックス１０をポスト本体１に嵌着した状態で、ポスト本体１の壁面が軸１４の両端を押えるようになるので、使用中に軸１４がひとりでに抜け出すことはない。
【００１４】
ギヤボックス１０の前面壁には、ネットロープＡを通すための切欠１５が形成されている。ギヤボックス１０をポスト本体１に嵌着させた時には、この切欠１５がポスト本体１の切欠２と合致するようになるので、ネットロープＡの端を引掛けたりする作業を外部から容易に行うことができる。
【００１５】
ギヤボックス１０の内部には、巻込みドラム１６がドラム軸１７で回転自在に支持されて取付けられている。なお、ドラム軸１７は、ギヤボックス１０の壁面の軸孔に抜挿自在に嵌合させているだけであるが、ギヤボックス１０をポスト本体１に嵌着させた時には、ポスト本体１の壁面がドラム軸１７の両端を押えるようになるので、抜け出すことはない。
【００１６】
巻込みドラム１６には、ネットロープＡの端を引掛ける為のフック１８が設けられている。更に、巻込みドラム１６の端にはドラムギヤ１９が固着されていて、このギヤ１９が回転させられると、ドラム１６が回転し、ネットロープＡをドラム１６に巻込んで、ネットロープＡに緊張力を加えることができる。このドラムギヤ１９にはウォームギヤ２０が螺合している。このウォームギヤ２０の支持は、一方の端は、その突出ボス部２１をギヤボックス１０の壁面の孔に回転自在に嵌合させ、他方の端は、ウォーム軸２２で回転自在に支持されている。なお、このウォーム軸２２はギヤボックス１０の壁面の軸孔に嵌合させていただけであるが、ギヤボックス１０をポスト本体１に嵌着させた時に、ポスト本体１の壁面が軸の端を押えるようになるので、ウォーム軸２２が抜け出すことはない。
【００１７】
ウォームギヤ２０の一方端には、巻締工具結合用の角孔２３が形成されている。また、ポスト本体１には、角孔との該当位置に孔３が設けられているので、この角孔２３は外部に露出した状態となる。従って、ネットロープＡの巻込み時には、この角孔２３に巻締工具４を結合させて、回転力を加えることができる。そして、この回転は巻込みドラム２０に伝わり、ネットロープＡをゆっくりと巻込んでいくようになる。巻込完了時には、回転を止めるだけでよい。ウォーム機構である為、その巻込み状態で固定され、逆回転することはない。
【００１８】
次に、図４により、コートの反対側に立設するネットポストについて説明する。こちら側のネットポストにはロープ巻込み機構は不要で、ロープ端を簡単に連結できる構造が付いていればよい。図示例では、ポスト本体３０の上端に上蓋３１が嵌着されていて、この上蓋３１には、ロープ案内用の弧面３２と、ロープ端挿通用の孔３３とが設けられている。また、ポスト本体３０の内壁には、ロープ端を引掛ける為のフック３４が取付けられている。従って、ネット張設作業時には、ネットロープＡの端を、上蓋３１の孔３３から挿し込んで、フック３４に引掛けて連結固定する。
【００１９】
次に、ネット張設時の作業手順について説明する。先ず、２本のネットポストをコートの両側に立設固定する。続いて、ネットロープＡの一端を、一方のポスト本体３０に、前記のようにフック３４に引掛けて取付けて、ロープの一方の端の連結作業を終える。
【００２０】
次に、ネットロープＡの反対端を、他方のポスト本体１に連結する。なお、このポスト本体１には、予じめギヤボックス１０を嵌着させておく。作業は、先ず、ロープの端を巻込みドラムのフック１８に引掛ける。この作業は、切欠２、１５を通して行えるので、簡単である。続いて、巻締工具４を、ウォームギヤの角孔２３に嵌合させて、回転力を加える。この回転力はウォームギヤ２０からドラムギヤ１９へと伝わり、ドラム１６は回転させられて、ロープＡがドラムに巻込まれていく。この際、ロープＡは滑車１３で案内されるので、ロープの進行はスムースである。巻込みを進めて、ロープＡに一定の緊張力が生じた段階で巻込みを中止する。ウォーム機構の関係で、この巻込状態はそのまま保持される。作業を終えると、巻締工具４を取外す。この状態でネットポストには、何等の突出物もないので、競技者が接触しても、怪我することはない。競技が終了すると、ネットロープを取外すのであるが、この場合には、再度、巻締工具４を角孔２３に結合させ、逆方向に回転させて行う。
【００２１】
次に、部品が破損や損傷した際の取替作業について説明する。この際には、先ず、ギヤボックス１０をポスト本体１から取り外す。滑車軸１４、ドラム軸１７、ウォーム軸２１は単に挿通してあるだけで、着脱は自由であるから、損傷した部品の軸を取外し、部品を交換した上で、軸を再び挿通すればよい。この交換作業は手作業だけで簡単に行うことができる。交換後は、ギヤボックス１０をポスト本体１の上端に再び嵌着させる。嵌着状態で各軸はポスト壁に押えられて、ひとりでに抜け出すことはない。
【００２２】
本発明のネットポストは、前記の実施例に限定されるものではなく、特許請求の範囲の記載の範囲内で自由に変形実施可能である。特に、ポスト本体１や、ギヤボックス１０や、滑車１３や、ドラム１６や、ドラムギヤ１９や、ウォームギヤ２０などの詳細な形状、構造は自由である。
【図面の簡単な説明】
【００２３】
【図１】本発明のネットポストの断面図。
【図２】ギヤボックスの断面図。
【図３】分解状態の正面図。
【図４】反対側のネットポストの断面図。
【符号の説明】
【００２４】
１      ポスト本体
２      切欠
３      孔
４      巻締工具
１０    ギヤボックス
１１    上蓋
１２    切欠
１３    滑車
１４    滑車軸
１５    切欠
１６    巻込みドラム
１７    ドラム軸
１８    フック
１９    ドラムギヤ
２０    ウォームギヤ
２１    突出ボス部
２２    ウォーム軸
２３    角孔
３０    反対側のポスト本体
３１    上蓋
３２    ロープ案内用弧面
３３    孔
３４    フック
【図１】
0004478640.tif 000002
【図２】
0004478640.tif 000003
【図３】
0004478640.tif 000004
【図４】
0004478640.tif 000005